【手続補正書】
【提出日】平成29年9月1日(2017.9.1)
【手続補正１】
【補正対象書類名】特許請求の範囲
【補正対象項目名】全文
【補正方法】変更
【補正の内容】
【特許請求の範囲】
【請求項１】
上面、底面および前記上面と前記底面との間に延在しているインサート穴を有し、かつ、内表面を有している、切削インサートをその上に取り付けるように適合された切削工具保持具であって、前記保持具が、基底面および前記基底面に向けられた少なくとも１つの側壁によって画定された座、穴軸に沿って延在し、開口端を前記基底面に有する座穴、近位端と遠位端との間に延在する固定部材を含む固定構成であって、前記固定部材が前記近位端に頭部を有し、その遠位端が前記座穴内に受け入れられている固定構成、および、前記固定部材を、前記頭部が前記座穴内から前記基底面を通って前記座に第１の程度まで突き出て、前記頭部と前記少なくとも１つの側壁との間に第１の間隙距離を画定して、前記切削インサートが前記座内に配置され、かつ／または前記座から完全に取り外されるのを可能にする、取付け位置と、前記頭部が座穴内から前記基底面を通って前記座に、前記第１の程度より小さい、第２の程度まで突き出て、前記頭部と前記少なくとも１つの側壁との間に、前記第１の間隙距離より小さい、第２の間隙距離を画定して、前記インサート穴の内表面を係合するようにし、それにより、前記インサートを前記頭部と前記少なくとも１つの側壁との間に固定する、固定位置との間で、前記座穴の穴軸に沿って移動させるように適合された移動構成を含み、前記インサート座が、少なくとも前記固定位置において、係合して、前記固定部材の頭部に支持を提供するように構成された支持表面と共にさらに形成されている、切削工具保持具。
【請求項２】
前記支持表面が、
−前記座穴の開口端に隣接した、前記基底面自体の一部、
−前記基底面から前記座穴に延在し、その内表面の一部を形成し、前記基底面に対してある角度で向けられた、表面、および
−前記基底面から前記座に延在している支持構造の表面
のうちの少なくとも１つによって構成されている、請求項１に記載の切削工具保持具。
【請求項３】
前記座が、前記基底面の下に延在する第１の部分および前記基底面の上に延在する第２の部分を有する１つの広範囲な支持表面を含む、請求項１および２のいずれか１つに記載の切削工具保持具。
【請求項４】
切削インサートが前記座上に取り付けられる場合に、前記インサート穴の内表面および前記支持表面が対向し、そのため、前記固定部材の頭部が、少なくとも２つの異なる位置−前記切削インサートのインサート穴の内表面および前記支持表面で支持されている、請求項１乃至３のいずれか１つに記載の切削工具保持具。
【請求項５】
少なくとも前記固定位置における、前記穴軸面に沿った前記切削工具の横断面で、要素の構成が次のとおり：前記座の少なくとも１つの側壁、前記頭部によって前記側壁にしっかりと押し付けられた前記切削インサートの一部、前記固定部材の頭部、前記頭部にしっかりと押し付けられた支持表面、および前記切削インサートの対向部、である、請求項４に記載の切削工具保持具。
【請求項６】
前記切削インサートが前記側壁から離れた部分において、前記支持構造と前記インサート穴の内表面との間にわずかな間隙が延在する、請求項２に記載の切削工具保持具。
【請求項７】
前記頭部が、外側に広がっているテーパ角度をもつ第１の円錐部および内側に収束している円錐部をもつ第２の円錐部を含み、そのため、前記第１の円錐部が、前記切削インサートの内表面および前記支持表面と接触するように構成されており、かつ、前記第２の円錐部が、前記切削インサートを妨げることなく前記切削インサートの取外しを可能にするように構成されている、請求項１乃至６のいずれか１つに記載の切削工具保持具。
【請求項８】
前記締付けねじが、シャンク部およびねじ部を含み、前記座穴が、前記ねじを適切に収容するように構成された、それぞれ対応する非ねじ部およびねじ部を有する、請求項１乃至７のいずれか１つに記載の切削工具保持具。
【請求項９】
前記側壁が、支持部および前記基底面と前記支持部との間に配置されたカットアウト部を含み、前記支持部が、前記切削インサートの外表面を係合するように構成され、前記カットアウトが、前記外表面と接触することがないように構成されており、そのため、前記切削インサートを前記少なくとも１つの側壁の方に押し付けると、前記支持部とのその接触のために、前記外表面の上部への加圧を引き起こすが、他方、前記外表面の下部は接触していない、請求項１乃至８のいずれか１つに記載の切削工具保持具。
【請求項１０】
前記切削工具保持具が、前記座穴と交差しているチャネル内に受け入れられたねじ山要素をさらに含み、かつ、前記固定部材を係合するように構成された内側のねじ山を含み、前記ねじ山要素が、以下の：
−前記チャネルの軸の周りを回転すること、および
−前記チャネルに沿って軸方向に移動すること、
のうちの少なくとも１つを実行するように構成されている、請求項１乃至９のいずれか１つに記載の切削工具保持具。
【請求項１１】
前記切削工具保持具が、前記基底面上に取り付けられ、かつその上に前記切削インサートを取り付けるように構成された副板をさらに含み、前記副板が、前記支持表面を含む支持構造の少なくとも一部を収容する空洞を有する、請求項１乃至１０のいずれか１つに記載の切削工具保持具。
【請求項１２】
前記支持構造が前記副板の上に突き出ない、請求項１１に記載の切削工具保持具。
【請求項１３】
請求項１乃至１２のいずれか１つに記載の切削工具保持具上に取り付けるように構成された切削インサート。
【請求項１４】
前記切削インサートが、前記切削インサートの底面と関連付けられた複数の第１の通路カットアウトおよび前記切削インサートの上面と関連付けられた複数の第２の通路カットアウトを含んで、前記固定部材のシャンクが前記座穴に入るのを可能にするように構成されている、請求項１３に記載の切削インサート。
【請求項１５】
前記インサート穴の内表面が、前記固定部材の頭部と接触するように構成された接触面をそれぞれ有する、前記インサート穴内に半径方向に延在する複数の突起を含み、前記支持構造が、前記インサート穴の直径に対応する直径の内接する円を有すると同時に、前記突起がもっと小さい直径の内接する円を有する、請求項１３および１４のいずれか１つに記載の切削インサート。
【請求項１６】
請求項１乃至１２のいずれか１つに記載の切削工具保持具上に取り付けられる場合に、請求項１３および１４のいずれか１つに記載の切削インサートを含む切削工具。
【請求項１７】
上面、底面を有し、前記上面と前記底面との間に延在している内表面を有するインサート穴と共に形成された切削インサートをその上に取り付けるように適合された切削工具保持具であって、前記保持具が、底表面および前記底表面の方に向けられた少なくとも１つの側壁によって画定された座、前記少なくとも１つの側壁の方に傾斜した穴軸を持ち、前記座の底表面に開口端を有する座穴、および前記切削インサートを前記座内に固定するための締付けねじを含み、前記締付けねじが頭部を有し、前記頭部が前記座穴内から前記底表面を通って前記座に第１の程度まで突き出て、前記頭部と前記少なくとも１つの側壁との間に第１の間隙距離を画定して、前記切削インサートが前記座内に配置されるのを可能し、その底面を前記底表面と位置合わせさせるとともに、完全にそれから取り外させる、少なくとも第１の取付け位置と、前記頭部が前記座穴内から前記底表面を通って前記座に、前記第１の程度より小さい、第２の程度まで突き出て、前記頭部と前記少なくとも１つの側壁との間に、前記第１の間隙距離より小さい、第２の間隙距離を画定して、前記インサート穴の内表面を係合するようにし、それにより前記インサートを前記頭部と前記少なくとも１つの側壁との間に固定する、第２の固定位置との間で移動するように構成されており、前記締付けねじが前記座穴と螺合されておらず、かつ、前記切削工具保持具が、前記座穴と交差しているチャネル内に受け入れられたねじ山要素をさらに含み、前記締付けねじを係合するように構成された内側のねじ山を含む、切削工具保持具。
【請求項１８】
上面、底面および前記上面と前記底面との間に延在しているインサート穴を有し、かつ内表面を有する、切削インサートをその上に取り付けるように適合された、切削工具保持具であって、前記保持具が、基底面および前記基底面に向けられた少なくとも１つの側壁によって画定された座、穴軸に沿って延在し、前記基底面に開口端を有する座穴、近位端と遠位端との間に延在する固定部材を含み、前記固定部材が前記近位端に頭部を有し、その遠位端を前記座穴内に受け入れている固定構成、および前記頭部が前記座穴内から前記基底面を通って前記座に第１の程度まで突き出て、前記頭部と前記少なくとも１つの側壁との間に第１の間隙距離を画定して前記切削インサートが前記座内に配置され、かつ／または前記座から完全に取り外されるのを可能にする、取付け位置と、前記頭部が前記座穴内から前記基底面を通って前記座に、前記第１の程度より小さい、第２の程度まで突き出て、前記頭部と前記少なくとも１つの側壁との間に、前記第１の間隙距離より小さい、第２の間隙距離を画定して、前記インサート穴の内表面を係合するようにし、それにより、前記インサートを前記頭部と前記少なくとも１つの側壁との間に固定する、固定位置との間で、前記固定部材を前記座穴の穴軸に沿って移動させるように適合された移動構成を含み、前記座穴が前記基底面に向けられ、前記ねじの頭部が、前記ねじの軸に関してそのように傾斜されて、少なくとも前記固定位置において、前記接触部が、前記頭部に支持を提供するために、前記座の基底面を係合するように構成されている、接触部を含む、切削工具保持具。